(57)【要約】【課題】風呂給湯機能を備えた瞬間湯沸し型のヒートポンプ給湯装置を提供する。【解決手段】瞬間湯沸し型のヒートポンプ給湯装置であって、冷媒循環回路７の放熱器３の冷媒流路８と熱交換を行う水流路９を備えた熱交換器１０と、前記水流路９に水道水を供給する給水管１１と、前記水流路９から浴槽１６に接続する風呂注湯路１７と、前記浴槽１６への給湯温度を調節するための湯温調整手段１８を備えているので、適温の湯を浴槽１６に湯張りするのが可能な上、目標風呂給湯温に応じて浴槽１６への給湯を自動で停止する風呂給湯自動停止手段２０を備えているため、浴槽１６への湯張りを自動で行うことができる。【選択図】  図１
2004156845.tif 000002
【特許請求の範囲】
【請求項１】
圧縮機と放熱器と減圧手段と吸熱器とを含む冷媒循環回路と、前記放熱器の冷媒流路と熱交換を行う水流路を備えた熱交換器と、前記水流路に水道水を供給する給水管と、前記水流路から浴槽に接続する風呂注湯路とを有するヒートポンプ給湯装置。
【請求項２】
浴槽へ給湯する湯の温度を調整する湯温調整手段を有する請求項１に記載のヒートポンプ給湯装置。
【請求項３】
湯温調整手段は、水流路で熱せられた湯の温度を測定する給湯温検知手段と、前記給湯温検知手段で測定した湯温に応じて冷媒循環回路を制御する請求項２に記載のヒートポンプ給湯装置。
【請求項４】
湯温調整手段は、水流路で熱せられた湯の温度を測定する給湯温検知手段と、給水管から分岐して風呂注湯路に水道水を供給するバイパス路と、前記風呂注湯温検知手段で測定した湯の温度に応じて水道水の混合量を操作するバイパス混合手段とを有する請求項２または３に記載のヒートポンプ給湯装置。
【請求項５】
湯温調整手段は、水流路で熱せられた湯の温度を測定する給湯温検知手段と、浴槽への給湯流量を調節する流量可変手段と、前記給湯温検知手段で測定した湯温に応じて前記流量可変手段を制御する制御手段とを有する請求項２〜４のいずれか１項に記載のヒートポンプ給湯装置。
【請求項６】
熱交換器はもう一つの水流路である第２水流路を有し、風呂水が浴槽から前記第２水流路を経て再び浴槽に戻るようにするための風呂水循環路を備えた請求項１〜５のいずれか１項に記載のヒートポンプ給湯装置。
【請求項７】
熱交換器を複数備えた請求項１〜６のいずれか１項に記載のヒートポンプ給湯装置。
【請求項８】
圧縮機と放熱器と減圧手段と吸熱器とを含む冷媒循環回路と、前記放熱器と熱交換を行う水流路を備えた熱交換器と、風呂水が浴槽から前記水流路を経て再び浴槽に戻るようにするための風呂水循環路と、前記風呂水循環路に水道水を供給する給水管とを有するヒートポンプ給湯装置。
【請求項９】
風呂水循環路は風呂水を送水する送水手段と、浴槽の湯温を測定する風呂水温検知手段と、前記風呂水温検知手段で測定した風呂水温度に応じて送水手段と冷媒循環回路を制御する制御手段とを有する請求項６〜８のいずれか１項に記載のヒートポンプ給湯装置。
【請求項１０】
浴槽の水位を検知する水位検知手段を有する請求項１〜９のいずれか１項に記載のヒートポンプ給湯装置。
【請求項１１】
浴槽への給湯水量を検知する風呂注湯流量検知手段を有する請求項１〜１０のいずれか１項に記載のヒートポンプ給湯装置。
【請求項１２】
風呂水循環路に風呂水の循環流量を検知する風呂水循環流量検知手段を有する請求項６〜１１のいずれか１項に記載のヒートポンプ給湯装置。
【請求項１３】
目標風呂給湯量に応じて浴槽への給湯を自動で停止する風呂給湯自動停止手段を有する請求項１０または１１に記載のヒートポンプ給湯装置。
【請求項１４】
冷媒は炭酸ガスとする請求項１〜１３のいずれか１項に記載のヒートポンプ給湯装置。
【発明の詳細な説明】
【０００１】
【発明の属する技術分野】
本発明は、ヒートポンプ式給湯装置に関するものである。
【０００２】
【従来の技術】
従来のヒートポンプ給湯装置としては、特許文献１に記載されているような給湯装置が提案されていた。このヒートポンプ給湯装置は図５に示すように、閉回路に構成される冷媒路１で圧縮機２、放熱器３、減圧手段４、吸熱器５が接続された冷媒循環回路７と、放熱器３の冷媒流路８と熱交換を行う水流路９を備えた熱交換器１０と、この水流路９に水道水を供給する給水管１１と、前記水流路９とシャワーや蛇口等の給湯端末１２とを接続する給湯回路１３と、給湯回路１３に設け給湯温度を検出する温度センサ１４と、圧縮機２の回転数を制御するインバータ１５を備え、圧縮機２を温度センサ１４の検出温度と設定温度との差に応じてインバータ１５の出力周波数を変換するようにしていた。
【０００３】
【特許文献１】
特開平２−２２３７６７号公報
【０００４】
【発明が解決しようとする課題】
しかし、上記従来例の給湯装置の構成では、風呂給湯機能が備わっていないため、風呂に給湯をして湯張りをしたり、風呂の湯を追いだきで沸かし直したり、あるいはこれらを自動で行うことができなかった。
【０００５】
本発明は、上記従来の課題を解決するもので、風呂給湯機能を備えたヒートポンプ給湯装置を提供することを目的とする。
【０００６】
【課題を解決するための手段】
前記従来の課題を解決するために、本発明のヒートポンプ給湯装置は、水流路に水道水を供給する給水管と、水流路から浴槽に接続する風呂注湯路を備えたヒートポンプ給湯装置とする。
【０００７】
また、浴槽へ給湯する湯の温度を調整する湯温調整手段や浴槽の水位を検知する水位検知手段を備えたヒートポンプ給湯装置とする。
【０００８】
この発明によれば、従来の瞬間式ヒートポンプ給湯装置にはない風呂給湯機能を設けることができ、浴槽に給湯をして湯張りをしたり、風呂の湯を追いだきで沸かし直したり、あるいはこれらを自動で行うことができる。
【０００９】
【発明の実施の形態】
請求項１に記載の発明は、圧縮機と放熱器と減圧手段と吸熱器とを含む冷媒循環回路と、前記放熱器の冷媒流路と熱交換を行う水流路を備えた熱交換器と、前記水流路に水道水を供給する給水管と、前記水流路から浴槽に接続する風呂注湯路を備えているため、風呂給湯機能を利用することができる。
【００１０】
請求項２に記載の発明は、浴槽へ給湯する湯の温度を調整する湯温調整手段を備えたので適温の湯を自動で調節しながら浴槽に供給することができる。
【００１１】
請求項３に記載の発明は、湯温調整手段は、水流路で熱せられた湯の温度を測定する給湯温検知手段と、前記給湯温検知手段で測定した湯温に応じて冷媒循環回路を制御するもので、適温の湯を自動で調節しながら浴槽に供給することができる。
【００１２】
請求項４に記載の発明は、特に、湯温調整手段は水流路で熱せられた湯の温度を測定する給湯温検知手段と、給水管から分岐して風呂注湯路に水道水を供給するバイパス路と、前記風呂注湯温検知手段で測定した湯の温度に応じて水道水の混合量を操作するバイパス混合手段を備えたので、風呂給湯温度を精度良く制御することが可能となる。
【００１３】
請求項５に記載の発明は、特に、湯温調整手段は水流路で熱せられた湯の温度を測定する給湯温検知手段と、浴槽への給湯流量を調節する流量可変手段と、前記給湯温検知手段で測定した湯温に応じて前記流量可変手段を制御するもので、浴槽への給湯流量を変えることで湯の温度が制御でき、精度の良い温度制御を行うことができる。
【００１４】
請求項６に記載の発明は、特に、熱交換器はもう一つの水流路である第２水流路を有し、風呂水が浴槽から前記第２水流路を経て再び浴槽に戻るようにするための風呂水循環路を備えたので、浄水と風呂水が混ざることのない構成が実現でき、また、能力の高いヒートポンプ給湯機を用いることで、短時間での湯張りや追いだきが可能となる。
【００１５】
請求項７に記載の発明は、特に、熱交換器を複数備えたとするもので、例えば給湯端末用、風呂給湯用、暖房用など、用途毎に熱交換器を設けることができ、それぞれの熱交換器が持つ高い熱交換効率を十分に引き出して使用することができるので、能力の高い給湯が可能となる。
【００１６】
請求項８に記載の発明は、圧縮機と放熱器と減圧手段と吸熱器とを含む冷媒循環回路と、前記放熱器と熱交換を行う水流路を備えた熱交換器と、風呂水が浴槽から前記水流路を経て再び浴槽に戻るようにするための風呂水循環路を備え、前記風呂水循環路に水道水を供給する給水管を備えているので、風呂給湯機能を利用することができる。
【００１７】
請求項９に記載の発明は、特に、風呂水循環路は風呂水を送水する送水手段と、浴槽の湯温を測定する風呂水温検知手段と、前記風呂水温検知手段で測定した風呂水温度に応じて送水手段と冷媒循環回路を制御する制御手段を備えているので風呂追いだき時に温度精度良く、追いだき沸き上げができ、また、これらを自動で行うこともできる。
【００１８】
請求項１０に記載の発明は、特に、浴槽の水位を検知する水位検知手段を備えているので、風呂給湯時に適量の湯を自動で給湯できたり、あるいは人が入浴しているか否かを検知することも可能であるため、人が入浴しているか否かによって追いだき運転を行ったり停止したりを選択することができる。
【００１９】
請求項１１に記載の発明は、特に、浴槽への給湯水量を検知する風呂注湯流量検知手段を備えているので、風呂給湯時に自動で適量の湯を給湯できる。
【００２０】
請求項１２に記載の発明は、特に、風呂水循環路に風呂水の循環流量を検知する風呂水循環流量検知手段を備えているので、風呂水温検知手段が故障をした場合などでも、所定の循環積算流量を越えて風呂追いだきを続けて実施している場合に、異常と判断してこれを停止する事ができるので、必要以上の追いだきを行わなくて済む。
【００２１】
請求項１３に記載の発明は、特に、目標風呂給湯量に応じて浴槽への給湯を自動で停止する風呂給湯自動停止手段を備えたので、自動で風呂給湯を行うことができる。
【００２２】
請求項１４に記載の発明は、特に、冷媒を炭酸ガスとするので、ヒートポンプサイクルは冷媒の圧力が臨界圧力以上となる超臨界ヒートポンプサイクルであり、前記臨界圧力以上に昇圧された冷媒により熱交換器の水流路の流水を加熱する構成である。
【００２３】
そして、熱交換器の冷媒流路を流れる冷媒は、圧縮機で臨界圧力以上に加圧されているので、熱交換器の水流路の流水により熱を奪われて温度低下しても凝縮することがない。したがって熱交換器全域で冷媒流路と水流路とに温度差を形成しやすくなり、高温の湯が得られ、かつ熱交換効率を高くできる。
【００２４】
【実施例】
以下、本発明の実施例について図１〜図４を参照しながら説明する。なお、従来例および各実施例において、同じ構成、同じ動作をする部分については同一符号を付与し、詳細な説明を省略する。
【００２５】
（実施例１）
図１〜図３は本発明の実施例１におけるヒートポンプ給湯装置の構成図である。図１において、７は冷媒循環回路で、圧縮機２、放熱器３、減圧手段４、吸熱器５が冷媒路１により閉回路に接続されている。この冷媒循環回路７は、例えば二酸化炭素などの炭酸ガスを冷媒として使用し、高圧側の冷媒圧力が冷媒の臨界圧以上となる超臨界ヒートポンプサイクルを使用している。そして圧縮機２は、内蔵する電動モータ（図示せず）によって駆動され、吸引した冷媒を臨界圧力付近またはそれ以上の圧力まで圧縮して吐出する。ここで、本給湯装置は、超臨界ヒートポンプサイクルを利用しているので、高い給湯能力を有しており、よって所定の湯温が得られるまでの間を補うための湯をためる貯湯タンクを設けるなどの必要はなく、例えば給湯の指示を与えた後、数分程度以内に給湯ができる瞬間湯沸かし型のヒートポンプ給湯装置である。
【００２６】
また、１０は放熱器３の冷媒流路８と熱交換を行う水流路９を備えた給湯熱交換器である。水流路９には、水道水を直接供給する給水管１１と、水流路９から出湯される湯を浴槽１６に通水させるための風呂注湯路１７が接続されている。風呂注湯路１７には浴槽１６に給湯する湯の温度を調整するための湯温調整手段１８が設けられており、湯温調整手段１８は水流路９で熱せられた湯の温度を測定する給湯温検知手段１９と、湯温に応じて冷媒循環回路７を制御するための制御手段２１から成る。また、２０は目標給湯量に応じて風呂の給湯を自動で停止するための風呂給湯自動停止手段である。
【００２７】
続いて図２において、熱交換器１０は第２の水流路である第２水流路２２を有しており、この第２水流路２２と、浴槽１６によって閉回路である風呂水循環路２３が形成されている。風呂水循環路２３には、風呂水を循環するための送水手段２４と、風呂の湯温を測定するための風呂水温検知手段２５と、風呂の水位を検知する水位検知手段２６が備えられている。２８は、風呂注湯路１７を流れる湯水の流量を変えるための流量可変手段。２７は給水管１１から分岐して熱交換器１０を通さずに風呂注湯路１７に水道水を直接給湯するためのバイパス路、２９は、給湯温検知手段１９が測定した温度に応じて水道水の混合量を切り換えるバイパス混合手段で、このバイパス混合手段２９によってバイパス路２７と風呂注湯路１７は接続されている。３０、３１はそれぞれ、浴槽１６への給湯流量を検知する風呂注湯流量検知手段と、風呂水循環路２３を流れる風呂水の循環流量を検知する風呂水循環流量検知手段である。
【００２８】
また、２１は上記の通りの制御手段で、給湯温検知手段１９の測定値から冷媒循環回路７を制御する以外に、給湯温検知手段１９や風呂水温検知手段２５や水位検知手段２６や風呂注湯流量検知手段３０、それに風呂水循環流量検知手段３１の検知値から、流量可変手段２８、送水手段２４、風呂給湯自動停止手段２０、それにバイパス混合手段２９をそれぞれ制御する。
【００２９】
ここで流量可変手段２８は、バイパス混合手段２９、給水管１１，風呂注湯路１７のいずれに備えられていても、バイパス混合手段２９で水道水と給湯とが混合された後の湯水の温度と流量を制御するために、バイパス混合手段２９と浴槽１６の間に設けられていても、また、バイパス混合手段２９がこれを兼ねていても構わない。あるいはこの他に、バイパス路２７と、風呂注湯路１７のそれぞれに流量制御弁などの流量制御手段（図示せず）を備え、それぞれの流量制御手段が流量制御を行うことで、浴槽１６へ給湯する湯の温度と、流量を制御するという方法もある。
【００３０】
本実施例では、熱交換器１０における冷媒流路８の流れ方向と水流路９や第２水流路２２の流れ方向を対向流とし、各流路間を熱移動が容易になるように密着して構成している。この構成により冷媒流路８と水流路９や第２水流路２２の伝熱が均一化し、熱交換効率がよくなる。また、高温の出湯も可能になる。
【００３１】
なお、減圧手段４の具体的構成としては絞り弁（図示せず）が挙げられ、この場合絞り弁を駆動するステッピングモータ（図示せず）により弁開度が制御され、冷媒流路抵抗を変更することができる。また、送水手段２４、流量可変手段２８、バイパス混合手段２９の具体的構成としてはそれぞれ、ポンプ、流量制御弁（絞り弁）、三方弁などが挙げられる。
【００３２】
以上の構成において、次にその動作、作用について説明する。使用者が浴槽１６への給湯を開始させると、風呂給湯自動停止手段２０の停止機能が解除されて給水管１１から水流路９に水道水が流入し、同時に圧縮機２の回転数が制御され、圧縮機２から吐出される高温高圧の冷媒ガスは放熱器３へ流入して、冷媒流路８と水流路９とで熱交換が行われて、水流路９を流れる水を加熱する。そして、加熱された湯は風呂注湯路１７を通って浴槽１６に湯が注がれる。
【００３３】
一方、放熱器３で冷却された冷媒は減圧手段４で減圧されて吸熱器５に流入し、ここで大気熱、太陽熱など自然エネルギーを吸熱して蒸発ガス化し、圧縮機２に戻る。
【００３４】
水流路９を流れる水は、圧縮機２の回転数によって加熱量が制御されるだけでなく、減圧手段４の冷媒流路抵抗や、吸熱器５の吸熱量によっても加熱量が制御できる。つまり減圧手段４の絞り弁の開度を変え、冷媒流路抵抗を変えることで加熱量が制御でき、また、吸熱器５の吸熱量は、吸熱器５に備えた吸熱用ファン３２のモータの回転数を変更して、吸熱器５への送風量を変更することにより制御でき、吸熱量を変えることで加熱温度が制御できる。
【００３５】
高温の出湯が必要であったり、外気温度が低いなどで加熱量が不足した場合などには、冷媒流路抵抗を大きくすることで熱交換器の加熱量は所要加熱量を確保するように作用する。なお、通常の給湯使用状態において、冷媒流路８と水流路９との温度差が小さくなるほど冷媒循環回路７の効率が良くなるので、給湯温検知手段１９の検知する給湯温度に応じて、熱交換器１０での所要加熱量を確保して、冷媒流路８と水流路９との温度差が最も小さくなるように減圧手段４の冷媒流路抵抗を制御すると、効率の良いい運転が可能となる。
【００３６】
そして、給湯負荷が極端に小さく熱交換器１０の所要加熱量が小さすぎて圧縮機２の回転数制御などでは絞りきれない場合などには、吸熱用ファン３２の風量を減少させることにより熱交換器１０の加熱量を減少させて所要加熱量に制御することが可能である。また、圧縮機２が最大回転数でも加熱量が不足する場合には、吸熱用ファン３２の風量を上げて熱交換器１０の加熱量を増加させて所要加熱量に制御することも可能である。このように、圧縮機２の回転数や減圧手段４の減圧度、吸熱用ファン３２のモータ回転数によって、冷媒循環回路７の加熱量が制御でき、水流路９を流れる水を所定の温度に加熱することができる。
【００３７】
以上のように、冷媒循環回路７を制御することで風呂給湯温度が制御できるが、次に他に湯温調整手段１８を用いて風呂の給湯温を制御する方法について説明する。図２において湯温調整手段１８は、給湯温検知手段１９と流量可変手段２８と制御手段２１で構成されているので、給湯温検知手段１９の測定値に応じて流量可変手段２８を制御することで、風呂給湯温を制御できる。つまり、給湯温検知手段１９の測定温度が目標温度よりも高い場合には、流量可変手段２８によって給湯流量を増加させると、冷媒循環回路７による加熱能力がほぼ一定の場合、水流路９を流れる水の流量が増加した分、給湯温度を下げることができ、逆に、給湯温検知手段１９の測定温度が目標温度よりも低い場合には、流量可変手段２８によって給湯流量を減らし、給湯温度を上げることができる。
【００３８】
また同じく、図２において湯温調整手段１８はバイパス路２７、給湯温検知手段１９、バイパス混合手段２９を備えているので、給湯温検知手段１９の測定値に応じてバイパス路２７から水道水をバイパス混合手段２９で混合させ、風呂給湯温を制御することができる。つまり、給湯温検知手段１９の測定温度が目標温度よりも高い場合には、バイパス混合手段２９によって混合する水道水の割合を増加させ、その結果給湯温度を下げることができ、逆に、給湯温検知手段１９の測定温度が目標温度よりも低い場合には、バイパス混合手段２９が混合する水道水の割合を減らして、湯の温度を上げることができる。このように、冷媒循環回路７の制御に加えて湯温調整手段１８を用いて給湯温度制御を行うことで、さらに精度の高い給湯温度制御が可能となる。
【００３９】
なお風呂に給湯する湯の温度を測定するために、給湯温検知手段１９の代わりに、風呂水温度検知手段２５を用いて湯の温度を測定して、湯温制御を行うことができる。また水位検知手段２６や風呂注湯流量検知手段３０によって、浴槽１６に注がれる湯量が測定でき、目標給湯量応じて風呂給湯自動停止手段２０によって、浴槽への給湯を自動で停止することができるため、湯温だけでなく湯量も制御できるので、自動で適温、適量の湯を浴槽１６に給湯することができる。
【００４０】
なお図２では、水流路９には風呂注湯路１７の他に、湯を、シャワー３３や蛇口３４等の給湯端末１２に通水させるための給湯回路３５が接続されており、この場合も浴槽１６へ給湯する場合と同様に温度制御を行いながら、給湯端末１２で湯を使用することができる。
【００４１】
続いて、風呂追いだきを行う場合について説明する。冷媒循環回路７が制御されると同時に送水手段２４が駆動して、風呂水を循環させ風呂水が風呂水循環路２３から熱交換器１０に送水されると、第２水流路２２で冷媒流路８と熱交換が行われ、風呂水は加熱されて再び浴槽１６に戻される。この間、風呂水温度検知手段２５によって風呂水温が測定され、風呂水温が目標温度に達するまで循環が続けられ、自動で沸き上げ運転を行うことが可能となる。
【００４２】
この時風呂水が、浄水である水道水の流路に流入しないよう熱交換器１０の水流路９は、水道水の通る流路と風呂水の通る流路とに分ける必要があり、それ故に水流路は少なくとも２経路必要となる。
【００４３】
また、風呂水の循環流量を測定するための風呂水循環流量検知手段３１が備えられているので、風呂水温検知手段が故障をした場合などでも、所定の循環積算流量を越えて風呂追いだきを続けて実施している場合に、異常と判断してこれを停止する事ができるので、必要以上の追いだきを行わなくて済む。また、積算流量からポンプの総運転時間を把握することができるので、ポンプ寿命と、実際のポンプ運転時間からポンプの交換時期を予測して利用者にこれを知らせることも可能となる。
【００４４】
なお風呂追いだきに際しては、送水手段２４が備わっていなくても、自然対流を利用して行うことも可能である。また、風呂の湯張りのための風呂給湯を終えた後、冷媒循環回路７を停止させたままで送水手段２４だけを運転することで浴槽１６内の湯をかき混ぜて湯の分布を均一にしたり、あるいは冷媒循環回路７を制御しながら送水手段２４を運転させる追いだき運転を行って、湯張りの湯の温度をより目標温度に近づけることもできる。
【００４５】
また、浴槽１６には水位検知手段２６が備えられているので、給湯温検知手段１９や風呂水温検知手段２５と共に利用することで、風呂給湯時には適量、適温の湯を自動で張ることが可能である上、人が入浴しているか否かの人入り検知もできるので、人が入浴する度に湯温を適温にするために風呂追いだきを実施したり、逆に送水手段２７の駆動音が入浴者に不快感を与えないように入浴中の追いだき運転を禁止することも可能である。
【００４６】
以上のように、２つの水流路を１つの熱交換器１０に設ければ、省スペース化がはかられ加えてコストも低減できる一方で、図３のように２つの熱交換器１０を水流路９、第２水流路２３それぞれに備えることで、それぞれの熱交換能力が維持でき高能力の給湯が可能となる。この場合、冷媒流路８も２経路備えることとなり、これらは例えばそれぞれの冷媒流路８に冷媒流量制御手段３６を設けてこれらを互いに制御することで、２つの熱交換器１０の熱交換能力を切り換えることができる。
【００４７】
なお、実施例１ではヒートポンプサイクルを、冷媒の圧力が臨界圧力以上となる超臨界ヒートポンプサイクルとしているが、もちろん一般の臨界圧力以下のヒートポンプサイクルでもよい。冷媒として利用される炭酸ガスには代表的なものとして分子量の小さい二酸化炭素が挙げられる。
【００４８】
（実施例２）
図４は本発明の実施例２におけるヒートポンプ給湯装置の構成図である。実施例１と同様の部分は省略するとして、異なる部分についてのみ説明する。図４において、２３は風呂水が風呂から水流路９を経て再び風呂に戻るようにするための風呂水循環路で、この風呂水循環路２３の水流路９よも放熱器３前段側に水道水を供給する給水管１１を接続し、ここに接続手段３７を備えている。ここで、接続手段３７の具体的な構成としては、例えば流路を切り換えるための三方弁などが挙げられる。
【００４９】
次にその動作、作用について説明する。風呂に湯張りを行う場合、接続手段３６を切り換えて、給水管１１の水が浴槽１６に通水可能とし、逆に浴槽１６に水が給水管１１に入らないようにする。この状態で冷媒循環回路７を制御すると、冷媒流路８と水流路９とで熱交換され、加熱された湯が浴槽１６に供給される。この時、実施例１同様、風呂水温検知手段２５や水位検知手段２６によって、自動で適量、適温の風呂の湯が、浴槽１６に供給される。
【００５０】
風呂追いだきを行う場合には、接続手段３７を風呂循環路２３内を風呂水が循環するようにかつ、給水管１１の水道水が風呂循環路２３に流入しないように切り換える。そして、冷媒循環回路７を制御しながら送水手段２４を駆動させて、風呂水温検知手段２５が所定の目標温度を検知するまで循環させて沸き上げ動作を行う。なお、接続手段３７は制御手段２１の制御によって切り換え動作などを行う。
【００５１】
このようにすれば、給湯端末１２に供給する湯と、浴槽１６に供給したり追いだきをする湯を独立させることができ、風呂給湯関連とその他とを区別することができて、配管等が容易になる。
【００５２】
【発明の効果】
以上のように、本発明によれば、瞬間湯沸し型のヒートポンプ給湯装置に風呂給湯機能を設けたので、風呂の湯張りや追いだきが可能で、またこれらを自動で行うことが可能な瞬間式のヒートポンプ給湯装置を提供することができる。
【図面の簡単な説明】
【図１】本発明の実施例１におけるヒートポンプ給湯装置の構成図
【図２】本発明の実施例１におけるヒートポンプ給湯装置の他の構成図
【図３】本発明の実施例１におけるヒートポンプ給湯装置のさらに他の構成図
【図４】本発明の実施例２におけるヒートポンプ給湯装置の構成図
【図５】従来のヒートポンプ給湯装置の構成図
【符号の説明】
２  圧縮機
３  放熱器
４  減圧手段
５  吸熱器
７  冷媒循環回路
８  冷媒流路
９  水流路
１０  熱交換器
１１  給水管
１６  風呂
１７  風呂注湯路
１８  湯温調整手段
１９  給湯温検知手段
２０  風呂給湯自動停止手段
２１  制御手段
２２  第２水流路
２３  風呂水循環路
２４  送水手段
２５  風呂水温検知手段
２６  水位検知手段
２７  バイパス路
２８  流量可変手段
２９  バイパス混合手段
３０  風呂注湯流量検知手段
３１  風呂水循環流量検知手段
【図１】
2004156845.tif 000003
【図２】
2004156845.tif 000004
【図３】
2004156845.tif 000005
【図４】
2004156845.tif 000006
【図５】
2004156845.tif 000007